(57)【要約】【課題】 １回の操作で支持部材同士の結合を可能とした配管固定支持具を提供する。【解決手段】  配管固定支持具1の結合手段4は、第１支持部材2を貫通して第２支持部材3に設けられためねじ部8にねじ込まれる２本のおねじ部材5と、２本のおねじ部材5同士を結ぶ線に平行にのびかつ２本のおねじ部材5の頭部9に接するように配置されて第１支持部材2に直線移動可能に支持された直線移動部材6とを備えている。各おねじ部材5の頭部9に、それぞれ周方向等間隔で並ぶ複数の凸部11が設けられ、直線移動部材6に、おねじ部材5の頭部9の凸部11に噛み合っている凹部12が長さ方向等間隔に設けられている。【選択図】    図１
2016011689.tif 000002
【特許請求の範囲】
【請求項１】
半円柱状の凹所を有し配管に一側からあてがわれる第１支持部材と、半円柱状の凹所を有し配管に他側からあてがわれる第２支持部材と、第１支持部材と第２支持部材とを結合する結合手段とを備えており、配管の所定位置に設けられて配管を固定支持する配管固定支持具であって、
結合手段は、第１支持部材を貫通して第２支持部材に設けられためねじ部にねじ込まれる２本のおねじ部材と、２本のおねじ部材同士を結ぶ線に平行にのびかつ２本のおねじ部材の頭部に接するように配置されて第１支持部材に直線移動可能に支持された１または２の直線移動部材とを備えており、
各おねじ部材の頭部に、それぞれ周方向等間隔で並ぶ複数の凸部が設けられ、直線移動部材に、おねじ部材の頭部の凸部に噛み合っている凹部が長さ方向等間隔に設けられていることを特徴とする配管固定支持具。
【請求項２】
各おねじ部材に、回転工具を係合するための係合部が設けられていることを特徴とする請求項１記載の配管固定支持具。
【請求項３】
直線移動部材として、互いに平行に配置された第１直線移動部材と第２直線移動部材とが設けられており、２本のおねじ部材の中間に、両直線移動部材の凹部に噛み合っている凸部を有し、第１直線移動部材と第２直線移動部材との間に回転可能に支持された回転部材が設けられていることを特徴とする請求項１または２記載の配管固定支持具。
【請求項４】
第１直線移動部材は、一端側で一方のおねじ部材の凸部に凹部が噛み合い、第１直線移動部材の他端側部分と第２直線移動部材の一端側部分とが対向し、回転部材は、この対向部分に配置されており、第２直線移動部材は、他端側で他方のおねじ部材の凸部に凹部が噛み合っていることを特徴とする請求項３記載の配管固定支持具。
【請求項５】
回転部材に、回転工具を係合するための係合部が設けられていることを特徴とする請求項３または４に記載の配管固定支持具。
【発明の詳細な説明】
【技術分野】
【０００１】
この発明は、配管固定支持具に関し、特に、水道管などの合成樹脂管を固定支持するのに適した配管固定支持具に関する。
【背景技術】
【０００２】
配管を支持する場合、それぞれ半円柱状の凹所を有する１対の支持部材によって両側から配管を挟み、１対の支持部材同士を２本のボルトで結合することが一般的である。
【０００３】
特許文献１には、図５に示すように、配管の所定位置に設けられて配管を固定支持する配管固定支持具(31)として、半円柱状の凹所(32a)を有し、配管に下側からあてがわれる支持部材（第１支持部材）(32)と、半円柱状の凹所(33a)および１対のおねじ部(33b)を有し、配管に上側からあてがわれるＵ字型ボルト（第２支持部材）(33)と、Ｕ字型ボルト(33)の各おねじ部(33b)にねじ合わされて支持部材(32)とＵ字型ボルト(33)とを結合する２つのナット（結合手段）(34)(35)とを備えているものが開示されている。
【先行技術文献】
【特許文献】
【０００４】
【特許文献１】実開平４−１０６５８４号公報
【発明の概要】
【発明が解決しようとする課題】
【０００５】
上記の配管の支持作業に際しては、作業の手間の低減が課題となっている。１対の支持部材同士を２本のボルトで結合するには、２回の締付け操作が必要であり、特許文献１の配管固定支持具でも、ナット締付けのためには、２回の操作が必要である。この２回の操作を１回で行うことができれば、作業の手間を大幅に低減することができる。
【０００６】
この発明の目的は、１回の操作で支持部材同士の結合を可能とした配管固定支持具を提供することにある。
【課題を解決するための手段】
【０００７】
この発明による配管固定支持具は、配管に一側からあてがわれる第１支持部材と、配管に他側からあてがわれる第２支持部材と、第１支持部材と第２支持部材とを結合する結合手段とを備えており、配管の所定位置に設けられて配管を固定支持する配管固定支持具であって、結合手段は、第１支持部材を貫通して第２支持部材に設けられためねじ部にねじ込まれる２本のおねじ部材と、２本のおねじ部材の両方の頭部に接するように配置されて第１支持部材に直線移動可能に支持された１つまたは２つの直線移動部材とを備えており、各おねじ部材の頭部に、それぞれ周方向に所定間隔で並ぶ複数の凸部が設けられ、直線移動部材に、２本のおねじ部材の各頭部の凸部に噛み合い可能な凹部が設けられていることを特徴とするものである。
【０００８】
直線移動部材を直線移動させることにより、直線移動部材の凹部に噛み合っている凸部を有しているおねじ部材が回転し、これにより、頭部が第１支持部材に当接した状態で、おねじ部材がめねじ部にねじ合わされ、第１支持部材と第２支持部材とが結合される。すなわち、１つの操作で２本のおねじ部材を締め付けることができ、配管を固定支持する作業が容易となる。また、１つの操作で２本のおねじ部材を締め付けることから、締付けが防止される。
【０００９】
直線移動部材は、２本のおねじ部材の両方の頭部に常時接するようになされる。直線移動部材は、１つとされることがあり、また、２つとされることがある。直線移動部材が２つの場合、２つの直線移動部材は、２本のおねじ部材を介して対向しかつ互いに平行に配置され、どちらか一方の直線移動部材を直線移動させることで、２本のおねじ部材を締め付けることができる。
【００１０】
通常、直線移動部材を直線移動させることで、２本のおねじ部材を締め付けるようにするが、いずれか一方のおねじ部材を回転させた場合、これに伴って、直線移動部材が直線移動し、これに伴って、他方のおねじ部材が回転するので、いずれか一方のおねじ部材を回転させることで、２本のおねじ部材を締め付けるようにすることもできる。
【００１１】
各おねじ部材に、回転工具を係合するための係合部が設けられていることがある。このようにすると、いずれか一方のおねじ部材を回転させて、２本のおねじ部材を締め付ける作業が容易になる。
【００１２】
第１および第２の直線移動部材が２本のおねじ部材を介して対向しかつ互いに平行に配置されている場合、２本のおねじ部材の中間に、両直線移動部材の凹部に噛み合っている凸部を有し、第１直線移動部材と第２直線移動部材との間に回転可能に支持された回転部材が設けられているようにしてもよい。
【００１３】
このようにすると、回転部材を回転させた場合、これに伴って、２つの直線移動部材が直線移動し、これに伴って、各おねじ部材が回転するので、回転部材を回転させるだけで、２本のおねじ部材を締め付けることができる。
【００１４】
第１直線移動部材は、一端側で一方のおねじ部材の凸部に凹部が噛み合い、第１直線移動部材の他端側部分と第２直線移動部材の一端側部分とが対向し、回転部材は、この対向部分に配置されており、第２直線移動部材は、他端側で他方のおねじ部材の凸部に凹部が噛み合っていることがある。
【００１５】
このようにすると、締付け前における２つの直線移動部材の全長（一方の直線移動部材の一端から他方の直線移動部材の他端までの距離）に比べて、締付け後における２つの直線移動部材の全長を短くすることができ、締付け後の配管固定支持具をコンパクトなものとできる。
【００１６】
支持部材は、弾性を有していることが好ましいので、例えば合成樹脂製とされ、おねじ部材、直線移動部材および回転部材は、鋼などの金属製または合成樹脂製とされる。
【発明の効果】
【００１７】
この発明の配管固定支持具によると、直線移動部材を直線移動させることにより、直線移動部材の凹部に噛み合っている凸部を有しているおねじ部材が回転し、これにより、頭部が第１支持部材に当接した状態で、おねじ部材がめねじ部にねじ合わされ、第１支持部材と第２支持部材と結合される。すなわち、１つの操作で２本のおねじ部材を締め付けることができ、配管を固定支持する作業が容易となる。また、１つの操作で２本のおねじ部材を締め付けることから、偏った締付けが防止される。
【図面の簡単な説明】
【００１８】
【図１】図１は、この発明による配管固定支持具の第１実施形態を模式的に示す斜視図であり、おねじ部材締付け前の状態を示している。
【図２】図２は、この発明による配管固定支持具の第１実施形態を模式的に示す斜視図であり、おねじ部材締付け後の状態を示している。
【図３】図３は、この発明による配管固定支持具の第２実施形態を模式的に示す斜視図であり、おねじ部材締付け前の状態を示している。
【図４】図４は、この発明による配管固定支持具の第２実施形態を模式的に示す斜視図であり、おねじ部材締付け後の状態を示している。
【図５】図５は、従来の配管固定支持具の１例を示す斜視図である。
【発明を実施するための形態】
【００１９】
この発明の実施の形態を、以下図面を参照して説明する。以下の説明において、各図の上下（おねじ部材(5)の軸線の方向）を上下といい、上下および配管(P)の軸線の両方に直交する方向を左右というものとする。
【００２０】
図１および図２に、配管固定支持具(1)の第１実施形態を示している。図１は、おねじ部材(5)を締め付ける前の状態を示し、図２は、おねじ部材(5)を締め付けた後の状態、すなわち、配管固定支持具(1)の設置状態を示している。
【００２１】
配管固定支持具(1)は、水道管などの配管(P)の所定位置に設けられて配管(P)を固定支持するもので、半円柱状の凹所(2a)を有し配管(P)に上側からあてがわれる合成樹脂製の第１支持部材(2)と、半円柱状の凹所(3a)を有し配管(P)に下側からあてがわれる合成樹脂製の第２支持部材(3)と、第１支持部材(2)と第２支持部材(3)とを結合する結合手段(4)とを備えている。
【００２２】
結合手段(4)は、上下方向の軸線を有し、左右に所定間隔をおいて配置される２本のおねじ部材(5)と、左右方向（２本のおねじ部材(5)同士を結ぶ線に平行）にのびており、第１支持部材(2)の上面に左右方向に直線移動可能に支持された直線移動部材(6)とを備えている。
【００２３】
第１支持部材(2)には、各おねじ部材(5)を挿通するための上下に貫通する１対の貫通孔(7)が設けられている。
【００２４】
第２支持部材(3)には、各おねじ部材(5)をねじ合わせるための上下にのびる１対のめねじ部(8)が設けられている。
【００２５】
各おねじ部材(5)は、円柱状の頭部(9)およびおねじ(10a)が設けられた軸部(10)を備えている。頭部(9)には、周方向等間隔で並ぶ複数の凸部(11)が設けられている。
【００２６】
直線移動部材(6)には、おねじ部材(5)の頭部(9)の凸部(11)に噛み合される凹部(12)が長さ方向等間隔に設けられている。直線移動部材(6)は、凸部(11)と凹部(12)とが噛み合されるように、２本のおねじ部材(5)の頭部(9)に接して配置されている。おねじ部材(5)の頭部(9)の凸部(11)は、平歯車の歯と同じ形状とされており、直線移動部材(6)とおねじ部材(5)の頭部(9)とは、それぞれラックとピニオンとに対応する形状とされている。
【００２７】
おねじ部材(5)には、その頭部(9)の上面中央部に、係合部(13)が突出状に設けられている。したがって、おねじ部材(5)の係合部(13)にスパナなどの回転工具を係合させて、回転工具を使用して、おねじ部材(5)を回転させることができる。
【００２８】
上記第１実施形態の配管固定支持具(1)を使用して配管(P)を固定支持する作業に際しては、作業者は、直線移動部材(6)を図１の状態から右方向へ直線移動させる。これにより、直線移動部材(6)の凹部(12)に噛み合っている凸部(11)を有しているおねじ部材(5)が回転する。おねじ部材(5)が回転すると、その軸部(10)のおねじ(10a)が第２支持部材(3)のめねじ部(8)にねじ合わされて、おねじ部材(5)が下方に移動する。そして、図２に示すように、おねじ部材(5)の頭部(9)の下面が第１支持部材(2)の上面に当接し、この状態でさらにおねじ部材(5)が回転させられることで、おねじ部材(5)が強く締め付けられる。
【００２９】
こうして、この配管固定支持具(1)によると、直線移動部材(6)を直線移動させるという１つの操作で２本のおねじ部材(5)を締め付けて、第１支持部材(2)と第２支持部材(3)とを結合することができ、配管(P)を固定支持する作業を容易に行うことができる。また、１つの操作で２本のおねじ部材(5)を締め付けることから、片方のおねじ部材(5)だけを強く締め付けたり、片方のおねじ部材(5)だけを弱く締め付けたりする偏った締付けが防止される。これにより、配管(P)の変形も防止することができる。
【００３０】
なお、上記の第１実施形態において、図示した直線移動部材(6)に平行となるように第２の直線移動部材をおねじ部材(5)を介して対向させるようにしてもよい。この場合、いずれか一方の直線移動部材を直線移動させることで、２本のおねじ部材(5)を締め付けることができる。
【００３１】
図３および図４に、配管固定支持具(21)の第２実施形態を示している。図３は、おねじ部材(5)を締め付ける前の状態を示し、図４は、おねじ部材(5)を締め付けた後の状態、すなわち、配管固定支持具(21)の設置状態を示している。
【００３２】
配管固定支持具(21)は、水道管などの配管(P)の所定位置に設けられて配管(P)を固定支持するもので、半円柱状の凹所(2a)を有し配管(P)に上側からあてがわれる第１支持部材(2)と、半円柱状の凹所(3a)を有し配管(P)に下側からあてがわれる第２支持部材(3)と、第１支持部材(2)と第２支持部材(3)とを結合する結合手段(22)とを備えている。
【００３３】
第１支持部材(2)、第２支持部材(3)および各おねじ部材(5)は、第１実施形態と同じ形状とされている。
【００３４】
結合手段(22)は、上下方向の軸線を有し、左右に所定間隔をおいて配置される２本のおねじ部材(5)と、互いに平行に配置された第１および第２の直線移動部材(23)(24)と、２本のおねじ部材(5)の中間に配置された回転部材(25)とを備えている。
【００３５】
各直線移動部材(23)(24)は、左右方向（２本のおねじ部材(5)同士を結ぶ線に平行）にのびており、第１支持部材(2)の上面に左右方向に直線移動可能に支持されている。
【００３６】
各直線移動部材(23)(24)には、おねじ部材(5)の頭部(9)の凸部(11)に噛み合される凹部(26)(27)が長さ方向等間隔に設けられている。
【００３７】
第１直線移動部材(23)は、凸部(11)と凹部(12)とが噛み合されるように、その左側の部分が左側のおねじ部材(5)の頭部(9)に接して配置されている。第２直線移動部材(24)は、凸部(11)と凹部(12)とが噛み合されるように、その右側の部分が右側のおねじ部材(5)の頭部(9)に接して配置されている。各直線移動部材(23)(24)とおねじ部材(5)の頭部(9)とは、それぞれラックとピニオンとに対応する形状とされている。
【００３８】
回転部材(25)は、おねじ部材(5)の頭部(9)と同様の形状とされており、両直線移動部材(23)(24)の凹部(26)(27)に噛み合っている凸部(28)を有している。回転部材(25)は、第１支持部材(2)に設けられたピン(29)に嵌め合わされることで、第１直線移動部材(23)と第２直線移動部材(24)との間において回転可能なように、第１支持部材(2)に支持されている。
【００３９】
回転部材(25)には、凸部(28)が設けられている部分の上側に連なる六角柱状の係合部(30)が設けられている。したがって、係合部(30)にスパナなどの回転工具を係合させて、回転工具を使用して、回転部材(25)を回転させることができる。
【００４０】
第１実施形態の直線移動部材(6)の凹部が２本のおねじ部材(5)の頭部(9)の凸部(11)に常時接するようになされているのに対し、第２実施形態では、第１直線移動部材(23)は、その凹部(26)が左方のおねじ部材(5)の頭部(9)の凸部(11)にのみ接するようになされており、第２直線移動部材(24)は、その凹部(27)が右方のおねじ部材(5)の頭部(9)の凸部(11)にのみ接するようになされている。そして、第１直線移動部材(23)の右端側部分と第２直線移動部材(24)の左端側部分とが対向し、回転部材(25)は、この対向部分に配置されている。すなわち、第１直線移動部材(23)は、その右端部分において、凹部(26)が回転部材(25)の凸部(28)に噛み合っていて、この部分よりも右方に延在している部分を有しておらず、また、第２直線移動部材(24)は、その左端部分において、凹部(27)が回転部材(25)の凸部(28)に噛み合っていて、この部分よりも左方に延在している部分を有していない。
【００４１】
したがって、第１実施形態では、図２に示すように、締付け後の状態（配管固定支持具(1)の設置状態）において、直線移動部材(6)の右端部が第１支持部材(2)から右方に突出しているのに対し、第２実施形態では、図４に示すように、締付け後の状態（配管固定支持具(21)の設置状態）において、いずれの直線移動部材(23)(24)も第１支持部材(2)から右方にも左方にも突出していない。
【００４２】
こうして、第２実施形態の配管固定支持具(21)によると、締付け前における２つの直線移動部材(23)(24)の全長（第１の直線移動部材(23)の左端から第２の直線移動部材(24)の右端までの距離）に比べて、締付け後における２つの直線移動部材(23)(24)の全長を短くすることができ、締付け後の配管固定支持具(21)をコンパクトなものとできる。
【００４３】
上記第２実施形態の配管固定支持具(21)を使用して配管(P)を固定支持する作業に際しては、作業者は、回転部材(25)を図３の状態から時計方向へ回転させる。これにより、第１の直線移動部材(23)が右へ、第２の直線移動部材(24)が左へとそれぞれ直線移動する。これにより、第１の直線移動部材(23)の凹部(26)に噛み合っている凸部(11)を有しているおねじ部材(5)が時計方向に回転するとともに、第２の直線移動部材(24)の凹部(27)に噛み合っている凸部(11)を有しているおねじ部材(5)も時計方向に回転する。おねじ部材(5)がそれぞれ回転すると、その軸部(10)のおねじ(10a)が第２支持部材(3)のめねじ部(8)にねじ合わされて、おねじ部材(5)が下方に移動する。そして、図４に示すように、おねじ部材(5)の頭部(9)の下面が第１支持部材(2)に当接し、この状態でさらにおねじ部材(5)が回転させられることで、おねじ部材(5)が強く締め付けられる。
【００４４】
こうして、この配管固定支持具(21)によると、回転部材(6)を回転させるという１つの操作で２本のおねじ部材(5)を締め付けて、第１支持部材(2)と第２支持部材(3)とを結合することができ、配管(P)を固定支持する作業を容易に行うことができる。また、１つの操作で２本のおねじ部材(5)を締め付けることから、片方のおねじ部材(5)だけを強く締め付けたり、片方のおねじ部材(5)だけを弱く締め付けたりする偏った締付けが防止される。これにより、配管(P)の変形も防止することができる。
【００４５】
上記の配管固定支持具(1)(21)は、ＦＲＰ、ＧＲＰ、その他の合成樹脂管からなる配管(P)を固定支持するのに適したものとなっている。配管(P)の径に応じて、支持部材(2)(3)の形状が設定され、支持部材(2)(3)の形状に基づいて、直線移動部材(6)(23)(24)の移動量、おねじ部材(5)の頭部(9)の径、おねじ部材(5)のおねじ(10a)のピッチなどが適宜な値に設定される。
【００４６】
上記において、おねじ部材(5)の頭部(9)の凸部(11)などを平歯車の歯と同じ形状としているが、凸部(11)(28)および凹部(12)(26)(27)は、歯車形状に限られるものではない。また、回転工具を係合するための係合部(13)(30)は、突出状に設けられているが、これに代えて、例えば断面六角形の有低の孔を頭部(9)または回転部材(25)の上面中央部に形成することで回転工具を係合するための係合部を設けるようにしてもよい。
【符号の説明】
【００４７】
(1)(21) ：配管固定支持具
(2) ：第１支持部材
(2a)：凹所
(3) ：第２支持部材
(3a)：凹所
(4)(22) ：結合手段
(5) ：おねじ部材
(6) ：直線移動部材
(8) ：めねじ部
(9) ：頭部
(11)：凸部
(12)：凹部
(13)：係合部
(23)：第１直線移動部材
(24)：第２直線移動部材
(25)：回転部材
(26)(27)：凹部
(28)：凸部
(30)：係合部
(P) ：配管
【図１】
2016011689.tif 000003
【図２】
2016011689.tif 000004
【図３】
2016011689.tif 000005
【図４】
2016011689.tif 000006
【図５】
2016011689.tif 000007